(57)【要約】【課題】任意に多様な形状に変更して使用できる折り畳み・接続・分離可能な寝具及び座具を提供する。【解決手段】上部パーツ１０と下部パーツ２０と側部パーツ３０と内部パーツ４０から構成され、各パーツは弾力性又は柔軟性を有する材質からなり、各パーツは紐５０などの接続部材により接続・分離可能に設けられており、上部パーツ１０と下部パーツ２０と側部パーツ３０は折り畳み可能とし、上部パーツ１０と下部パーツ２０と側部パーツ３０の間に内蔵される内部パーツ４０は取り出し可能とする。【選択図】図１
2020028663.tif 000002
【特許請求の範囲】
【請求項１】
上部パーツと下部パーツと側部パーツと内部パーツから構成され、前記各パーツは弾力性又は柔軟性を有する材質からなり、前記各パーツは接続部材により接続・分離可能に設けられており、前記上部パーツと前記下部パーツと前記側部パーツは折り畳み可能とし、前記上部パーツと前記下部パーツと前記側部パーツの間に内蔵される前記内部パーツは取り出し可能とすることにより任意の形状に変更して使用できることを特徴とする折り畳み・接続・分離可能な寝具及び座具。
【請求項２】
前記内部パーツは複数個のクッションブロックから構成され、前記各クッションブロックは接続部材により接続・分離可能に設けられていることを特徴とする請求項１に記載の折り畳み・接続・分離可能な寝具及び座具。
【請求項３】
前記接続部材は紐、ファスナー、ベルト、ホック、フック等から選定されることを特徴とする請求項１又は請求項２に記載の折り畳み・接続・分離可能な寝具及び座具。
【請求項４】
前記各パーツを覆うカバーを備え、前記カバーに前記接続部材を設けることを特徴とする請求項３に記載の折り畳み・接続・分離可能な寝具及び座具。
【発明の詳細な説明】
【技術分野】
【０００１】
本発明は、任意に多様な形状に変更して使用できる折り畳み・接続・分離可能な寝具及び座具に関するものである。
【背景技術】
【０００２】
従来より寝具及び座具については、収納時の持ち運びの容易さや省空間性等を考慮して折り畳み可能としたもの、使用目的に応じ任意にサイズ変更ができる接続・分離可能としたもの等が知られている。
【０００３】
例えば、特開２００８−２１２５６０号公報（特許文献１）には、マットレスとして使用可能である一方、昼間においては、これを押し入れに収容することなくソファー、ベビーベッド等のクッション材として利用可能な多機能のマットレスを提供することを目的として、３以上の直方体のマットレスブロックが連接されている折り畳み可能なマットレスであって、端部の２つのマットレスブロックが、枠部と前記枠部に着脱自在に形成された内側部材とからなることを特徴とする「多機能マットレス」が提案されている。
【０００４】
また、実用新案登録第３０７７３５９号公報（特許文献２）には、マットレスを、収納を容易にするとともにベビーベットや小児用寝具としたり、ソファーとしても使用できるようにすることを目的として、三つ折りのマットレスの２カ所の接続部から分離して３分割して、分割部１、分割部２、分割部３、の各単体となして個別に運搬・収納する／分割部を下台として囲いカバーを被せてベビーベットとして使用する／囲いカバーをはずして、分割部１のみ、もしくは分割部１と分割部２を接続して寝具として使用する／ソファーとしては、三つ折りのマットレス本体６に背もたれカバーを被せて使用する「マットレス」が提案されている。
【０００５】
また、実用新案登録第３１５０４５４号公報（特許文献３）には、複数形態に設定変更して使用可能で、収納や搬送に際しては、その全体形状を略方形の箱状に折り畳み可能にすること目的とし、枕部材と支持部材と座面部材とを、その上面側端部間に設けた接続部を介して並設状に連結した形状のマット本体と、座面部材の前部に着脱自在に連結される脚乗せマット体と、その脚乗せマット体の前方に配置される別体の足枕体とを備え、所定形状に折り畳み可能に形成して成る安息マットであって、マット本体は、支持部材の上面に枕部材を重ね、且つ支持部材の前面に座面部材を垂直状に立設することにより、折り畳み状態の外周面が支持部材を基盤とするほぼコ字状となるように設けられ、その折り畳み状態のマット本体の内部に形成された空隙部に、脚乗せマット体と足枕体を挿入して、安息マットの全体を、略方形の箱形状に折り畳み可能な構成としたことを特徴とする「折畳式安息マット」が提案されている。
【０００６】
また、特開２０００−１５７３７０号公報（特許文献４）には、使用者の身長、使用目的に応じ任意にサイズの変更が可能なユニット布団を提供すること目的とし、複数個の布団ブロックと、個々の布団ブロックの辺部に配置され、隣り合う布団ブロックの辺部同士を接合、分離可能とする辺部着脱部材とを具備することを特徴とし敷き布団又は掛け布団として用いる「ユニット布団」が提案されている。
【先行技術文献】
【特許文献】
【０００７】
【特許文献１】特開２００８−２１２５６０号公報
【特許文献２】実用新案登録第３０７７３５９号公報
【特許文献３】実用新案登録第３１５０４５４号公報
【特許文献４】特開２０００−１５７３７０号公報
【発明の概要】
【発明が解決しようとする課題】
【０００８】
本発明は、本願発明者が鋭意開発したものであり、従来よりも任意に多様な形状に変更して使用できる折り畳み・接続・分離可能な寝具及び座具を提供することを目的とする。
【課題を解決するための手段】
【０００９】
上記の課題を解決するために、請求項１に記載の発明は、上部パーツと下部パーツと側部パーツと内部パーツから構成され、前記各パーツは弾力性又は柔軟性を有する材質からなり、前記各パーツは接続部材により接続・分離可能に設けられており、前記上部パーツと前記下部パーツと前記側部パーツは折り畳み可能とし、前記上部パーツと前記下部パーツと前記側部パーツの間に内蔵される前記内部パーツは取り出し可能とすることにより任意の形状に変更して使用できることを特徴とする。
【００１０】
また、請求項２に記載の発明は、請求項１に記載の前記内部パーツは複数個のクッションブロックから構成され、前記各クッションブロックは接続部材により接続・分離可能に設けられていることを特徴とする。
【００１１】
また、請求項３に記載の発明は、請求項１又は請求項２に記載の前記接続部材は紐、ファスナー、ベルト、ホック、フック等から選定されることを特徴とする。
【００１２】
また、請求項４に記載の発明は、請求項３に記載の前記各パーツを覆うカバーを備え、前記カバーに前記接続部材を設けることを特徴とする。
【発明の効果】
【００１３】
以上のように、本発明によれば、各パーツを細分化（上部、下部、側部、内部）し、上部パーツと下部パーツと側部パーツは折り畳み可能とし、且つ上部パーツと下部パーツと側部パーツの間に内蔵される内部パーツは取り出し可能とすることにより、従来よりも任意に多様な形状に変更して使用することができる。
【図面の簡単な説明】
【００１４】
【図１】本発明の全体構成の一例を示す斜視図である。
【図２】図１に示す上部パーツを示す斜視図である。
【図３】図１に示す下部パーツを示す斜視図である。
【図４】図１に示す側部パーツを示す斜視図である。
【図５】図１に示す内部パーツを示す斜視図である。
【図６】第１使用例を示す斜視図である。
【図７】第２使用例を示す斜視図である。
【図８】第３使用例を示す斜視図である。
【図９】第４使用例を示す斜視図である。
【図１０】第５使用例を示す斜視図である。
【図１１】上部折り畳み例を示す斜視図である。
【図１２】内部折り畳み例を示す斜視図である。
【図１３】紐付きカバーの一例を示す説明図である。
【図１４】孔有りカバーの一例を示す説明図である。
【図１５】ファスナー付きカバーの一例を示す説明図である。
【発明を実施するための形態】
【００１５】
以下、本発明の実施の一形態について図面を参酌しながら説明する。なお、本発明にかかる折り畳み・接続・分離可能な寝具及び座具の各構成については、以下の実施例に限定されるものではなく、使用状況によって適宜変更することができる。
【００１６】
図１は、本発明の全体構成の一例を示す斜視図である。本発明にかかる折り畳み・接続・分離可能な寝具及び座具は、図２に示す上部パーツ１０と、図３に示す下部パーツ２０と、図４に示す側部パーツ３０と、図５に示す内部パーツ４０とから構成される。尚、本実施例では、内部パーツ４０が８個のクッションブロックから構成される例を説明するが、個数や形状は図示する内容に限定されるものではない。
【００１７】
また、各パーツ１０、２０、３０、４０は、弾力性又は柔軟性を有する材質からなり、各パーツ１０、２０、３０、４０は紐５０などの接続部材により接続・分離可能に設けられている。尚、接続部材は、紐５０に限定されるものではなく、ファスナー、ベルト、ホック、フック等から選定してもよい。
【００１８】
また、上部パーツ１０と下部パーツ２０と側部パーツ３０は、折り畳み可能になっている。更に上部パーツ１０と下部パーツ２０と側部パーツ３０の間に内蔵される内部パーツ４０は、取り出し可能になっている。
【００１９】
図６〜図１０は、本発明の使用例（第１使用例〜第５使用例）を示している。
【００２０】
図１１〜図１２は、本発明のパーツの折り畳み例（上部折り畳み例、内部折り畳み例）を示している。
【００２１】
図１３は、紐付きカバーの一例を示している。図１３に示すように各パーツ１０、２０、３０、４０を覆う紐付きカバー６０ａ、６０ｂ、６０ｃ、６０ｄを使用してもよい。この場合、各カバーに紐などの接続部材を設ける。
【００２２】
図１４は、孔有りカバーの一例を示している。図１４に示すように各パーツ１０、２０、３０、４０を覆う孔有りカバー７０ａ、７０ｂ，７０ｃ、７０ｄを使用してもよい。
【００２３】
図１５は、ファスナー付きカバーの一例を示している。図１５に示すように各パーツ１０、２０、３０を覆うファスナー付きカバー８０ａ、８０ｂ，８０ｃを使用してもよい。
【符号の説明】
【００２４】
１０  上部パーツ
２０  下部パーツ
３０  側部パーツ
４０  内部パーツ
５０  紐
６０  紐付きカバー
７０  孔有りカバー
８０  ファスナー付きカバー
【図１】
2020028663.tif 000003
【図２】
2020028663.tif 000004
【図３】
2020028663.tif 000005
【図４】
2020028663.tif 000006
【図５】
2020028663.tif 000007
【図６】
2020028663.tif 000008
【図７】
2020028663.tif 000009
【図８】
2020028663.tif 000010
【図９】
2020028663.tif 000011
【図１０】
2020028663.tif 000012
【図１１】
2020028663.tif 000013
【図１２】
2020028663.tif 000014
【図１３】
2020028663.tif 000015
【図１４】
2020028663.tif 000016
【図１５】
2020028663.tif 000017